(57)【特許請求の範囲】
【請求項１】
撮影指示を入力可能な撮影指示入力手段と、前記撮影指示入力手段への前記撮影指示の入力に応じて被写体を示す画像データを取得する撮像部と、前記撮像部が取得した画像データを記録媒体に記録する記録部と、音声を再生可能な音声再生機器と通信する通信手段とを備えた電子カメラにおいて、
前記撮影指示の入力時に、前記音声再生機器との通信を開始し、少なくとも再生中の音声が格納されている場所及び前記再生中の音声の再生開始時点から前記撮影指示の入力時点までの経過時間を示すオーディオ再生情報を受信するよう前記通信手段を制御し、かつ前記通信手段が受信したオーディオ再生情報を前記画像データとともに前記記録媒体に記録するよう前記記録部を制御する制御手段を備え、
通常撮影モード又はリンク撮影モードのいずれか一方を選択する選択手段を備え、
前記制御手段は、前記選択手段が前記通常撮影モードを選択した場合、前記撮影指示の入力時に、前記音声再生機器との通信を開始し、前記オーディオ再生情報を受信するよう前記通信手段を制御し、前記選択手段が前記リンクモードを選択した場合、前記撮影指示の入力時に、前記音声再生機器との通信を開始し、前記音声再生機器に音声の再生を指令するとともに、前記オーディオ再生情報を受信するよう前記通信手段を制御することを特徴とする電子カメラ。
【請求項２】
第１の記録媒体に記録された音声データに基づいて音声を音声再生装置で再生するステップと、撮影指示に応じて被写体を示す画像データを取得するステップと、前記撮影指示のあった時に再生中の音声が格納されている場所及び前記再生中の音声の再生開始時点から前記撮影指示の入力時点までの経過時間を示すオーディオ再生情報を前記音声再生装置から受信するステップと、前記音声再生装置から受信したオーディオ再生情報を前記画像データとともに前記第２の記録媒体に記録するステップと、前記第２の記録媒体に記録された画像データに基づいて画像再生するとともに、該画像データとともに記録されたオーディオ再生情報に基づいて前記画像データの撮影指示の入力時に再生中であった音声を前記音声再生装置で再生するステップと、を含み、
前記第１の記録媒体と、前記第２の記録媒体とは同一の記録媒体であることを特徴とする記録再生方法。
【請求項３】
前記オーディオ再生情報に基づく音声再生は前記経過時点の所定時間前から再生し、前記画像再生は前記経過時点から再生することを特徴とする請求項２の記録再生方法。
【請求項４】
前記オーディオ再生情報は、前記音声を再生する順番を含み、前記オーディオ再生情報に基づく音声再生は前記再生する順番にしたがって順次再生され、前記画像再生は前記経過時点に達するごとに対応する画像を順次切り替えて再生されることを特徴とする請求項２の記録再生方法。
【請求項５】
第１の記録媒体に記録された音声データに基づいて音声を音声再生装置で再生するステップと、撮影指示に応じて被写体を示す画像データを取得するステップと、前記撮影指示のあった時に再生中の音声が格納されている場所及び前記再生中の音声の再生開始時点から前記撮影指示の入力時点までの経過時間を示すオーディオ再生情報を前記音声再生装置から受信するステップと、前記音声再生装置から受信したオーディオ再生情報を前記画像データとともに前記第２の記録媒体に記録するステップと、前記第２の記録媒体に記録された画像データに基づいて画像再生するとともに、該画像データとともに記録されたオーディオ再生情報に基づいて前記画像データの撮影指示の入力時に再生中であった音声を前記音声再生装置で再生するステップと、を含み、
前記オーディオ再生情報に基づく音声再生は前記経過時点の所定時間前から再生し、前記画像再生は前記経過時点から再生することを特徴とする記録再生方法。
【請求項６】
第１の記録媒体に記録された音声データに基づいて音声を音声再生装置で再生するステップと、撮影指示に応じて被写体を示す画像データを取得するステップと、前記撮影指示のあった時に再生中の音声が格納されている場所及び前記再生中の音声の再生開始時点から前記撮影指示の入力時点までの経過時間を示すオーディオ再生情報を前記音声再生装置から受信するステップと、前記音声再生装置から受信したオーディオ再生情報を前記画像データとともに前記第２の記録媒体に記録するステップと、前記第２の記録媒体に記録された画像データに基づいて画像再生するとともに、該画像データとともに記録されたオーディオ再生情報に基づいて前記画像データの撮影指示の入力時に再生中であった音声を前記音声再生装置で再生するステップと、を含み、
前記オーディオ再生情報は、前記音声を再生する順番を含み、前記オーディオ再生情報に基づく音声再生は前記再生する順番にしたがって順次再生され、前記画像再生は前記経過時点に達するごとに対応する画像を順次切り替えて再生されることを特徴とする記録再生方法。
【発明の詳細な説明】
【０００１】
【発明の属する技術分野】
本発明は電子カメラ及びその記録再生方法に係り、特にオーディオ再生と画像の撮影又は再生を同時に行うことが可能な電子カメラ及びその記録再生方法に関する。
【０００２】
【従来の技術】
静止画や動画を記録媒体に記録する電子カメラを用いて撮影した画像を再生すると同時に、再生画像に対応した他のメディアの音のデータをリンクしてオーディオ再生する場合には、表示されている画像を見ながら人が他のメディアのオーディオ再生をコントロールしていた。
【０００３】
【発明が解決しようとする課題】
しかしながら、従来の方法では、人が絶えず他のメディアのオーディオ再生をコントロールしなくてはならない上に、操作ミスが発生する可能性があった。
【０００４】
本発明はこのような事情に鑑みてなされたもので、撮影された画像に対応した音声を自動でオーディオ再生することによって、容易に画像と音声とを同時に観賞することが可能な電子カメラ及びその記録再生方法を提供することを目的とする。
【０００５】
【課題を解決する為の手段】
前記目的を達成するために請求項１に記載の発明は、被写体を撮影する撮像部と、撮影した画像データを記録する記録媒体と、音声を再生するオーディオ再生手段又はオーディオ再生可能な外部機器と通信する通信手段とを備えた電子カメラにおいて、撮影時に、少なくともオーディオ再生中の音声が格納されている場所を示すオーディオ再生情報を撮影した画像データとともに前記記録媒体に記録することを特徴としている。
【０００６】
本発明によれば、撮影時に、少なくともオーディオ再生中の音声が格納されている場所を示すオーディオ再生情報を撮影した画像データとともに前記記録媒体に記録するようにしたので、再生時において、撮影された画像に対応した音声を自動でオーディオ再生することが可能となり、容易に画像と音声とを同時に観賞することができる。
【０００７】
また、前記目的を達成するために請求項２に記載の発明は、被写体を撮影する撮像部と、請求項１の記録媒体に記録された画像データに基づいて画像を表示する表示手段又は外部に映像信号を出力する映像信号出力手段と、音声を再生するオーディオ再生手段又はオーディオ再生可能な外部機器と通信する通信手段とを備えた電子カメラにおいて、前記記録媒体に記録されている画像データ及びオーディオ再生情報を読み取り、該画像データに基づいて画像を表示すると同時に該オーディオ再生情報に基づいて撮影時の音声をオーディオ再生することを特徴としている。
【０００８】
本発明によれば、記録媒体に記録されているオーディオ再生情報に基づいて、画像に対応した音声を自動でオーディオ再生することが可能となり、容易に画像と音声とを同時に観賞することができる。
【０００９】
【発明の実施の形態】
以下添付図面に従って本発明に係る電子カメラ及びその記録再生方法の好ましい実施の形態について詳説する。
【００１０】
図１は本発明に係る電子カメラの実施の形態を示すブロック図である。同図によれば、電子カメラ８と外部機器であるオーディオ再生装置７０とは通信ライン７２で接続されているが、本発明はこれに限定されるものではなく、オーディオ再生装置７０が電子カメラ８に内蔵されていても本発明の目的は達成される。
【００１１】
電子カメラ８の光学系は、フォーカスの調節が可能な撮影レンズ１０と、光量を調節する絞り１２と、映像を電気信号に変換する固体撮像素子（ＣＣＤ）１４とを備えている。ＣＣＤ１４によって得られた撮像信号は、撮像信号処理部１６内に設けられているアナログ処理回路とＡ／Ｄ変換器を経由してデジタルのＲ、Ｇ、Ｂ信号が得られる。
【００１２】
ＣＣＤ１４と撮像信号処理部１６は撮像タイミング制御部１８から出力されるタイミング信号によって同期して駆動される。なお、撮像タイミング制御部１８から出力されるタイミング信号は、制御部２２からの指令によって変更することができるように構成されているので、フレームレートや画素数を自在に設定することが可能である。撮像信号処理部１６ではその他にも、画像サイズの変更、シャープネス補正、ガンマ補正、コントラスト補正、ホワイトバランス補正等の処理を行うことができる。
【００１３】
前記撮像信号処理部１６から出力されたＲ、Ｇ、Ｂ信号は、バスライン２４を介して逐次バッファメモリ２０に一時的に格納される。
【００１４】
なお、制御部２２は得られた画像のデジタル信号値から画像中の輝度成分を抽出して、これを所定のエリアについて積分するなどして被写体の輝度レベルを取得し、ここで得た被写体の輝度レベルから撮影に必要な露出力（撮影絞りとシャッター速度）を求めるＴＴＬＡＥ機能を搭載し得る。
【００１５】
また、制御部２２内部には、図示しない読み書き可能な記憶手段であるＲＡＭと、制御部２２の動作を司るプログラムや定数を記憶しておくＲＯＭが設けられている。
【００１６】
電子カメラ８の入力手段２６には図示しないシャッターボタンや、ファンクションスイッチ、カーソルキー、確定スイッチ、画像再生ボタン、NEXTボタン、画像再生終了ボタン等が設けられており、各操作情報は制御部２２に送られる。
【００１７】
音声記録系には、音声信号を電気信号に変換するマイクロフォン２８、２８と、マイクロフォン２８、２８から出力された微弱な音声信号を増幅するマイクロフォンアンプ３０、３０と、制御部２２からの指令によって指定されたサンプリングレートを生成して発生するサンプリングレート発生器３２と、前記サンプリングレートに応じて音声信号をサンプリングしてデジタルデータに変換するＡ／Ｄ変換器３４、３４と、該デジタルデータの量を減少させるデータ圧縮部３６、３６と、音声データの右チャンネルと左チャンネルとを合成してバスライン２４に伝送するマルチプレクス３８とが備えられている。
【００１８】
バスライン２４には、画像データと音声データとをＭＪＰＥＧやＭＰＥＧに代表される手法で圧縮したり、圧縮したデータを伸張展開する処理を行う圧縮伸張処理部４０と、画像データや音声データを記録媒体４２に記録したり読み出したりするためにデータを変換する記録再生処理部４４とが設けられている。記録媒体４２は、メモリーカードやＭＯに代表される着脱可能な記録媒体であってもよい。
【００１９】
また、電子カメラ８には、画像データや音声データを通信によって外部の機器に送信したり、接続されたオーディオ再生装置７０に対して通信する通信手段である通信信号処理部４６と、通信速度を制御する通信タイミング制御部４８とが設けられている。図１の例では、電子カメラ８とオーディオ再生装置７０とが通信ライン７２で接続されており、オーディオ再生トラック番号や再生時間等のデータの受け渡しや、コマンド信号等を双方向通信することができる。また、オーディオ再生装置７０の再生音は、オーディオモニタ７４にてモニタすることが可能となっている。
【００２０】
オーディオ再生装置７０は、同装置に設けられている操作ボタンを操作することによってオーディオ再生を行うことが可能に構成されている。また、通信ライン７２を介してコマンドを送信することによって自動再生することが可能となっている。
【００２１】
記録媒体４２に記録されている画像データを再生するには、記録再生処理部４４で読み出されたデータを必要に応じて圧縮伸張処理部４０で伸張し、再生信号処理部５２で再生タイミング制御部５４から出力されるタイミング信号に基づいて、表示可能な信号及び外部に出力可能な信号形態に変換される。変換された信号は表示手段５６に伝達されて撮影した画像が表示される。また、表示手段５６に画像を表示する代わりに再生信号処理部５２から映像信号を外部に出力してもよい。
【００２２】
記録媒体４２に記録されている音声データを再生するには、記録再生処理部４４で読み出されたデータを必要に応じて圧縮伸張処理部４０で伸張し、デマルチプレクス５８で各々のチャンネルに音声信号を分離してデータ伸張部６０、６０に伝達する。データ伸張部６０、６０で伸張された各音声データは、Ｄ／Ａ変換器６２、６２に伝達され、サンプリングレート発生器６４から発せられるサンプリングレート情報に応じてアナログの音声信号に変換される。そしてローパスフィルタ６６、６６で量子化歪みを減衰した後に出力端子６８、６８から外部の機器に出力される。
【００２３】
上記のとおり構成された電子カメラ８の撮影処理について説明する。
【００２４】
撮影する像は、撮影レンズ１０及び絞り１２を介して固体撮像素子（ＣＣＤ）１４の受光面に結像される。そしてこの被写体像はＣＣＤ内の各センサで光の入射光量に応じた量の電荷信号に光電変換される。撮像タイミング制御部１８からタイミング信号が出力され、これによってＣＣＤ１４に蓄積された電荷信号は順次出力されて、撮像信号処理部１６にて画像データのＲ、Ｇ、Ｂ信号の増幅やノイズの低減処理とデジタルデータに変換する処理が行われる。
【００２５】
制御部２２は、前記デジタルデータに変換された画像データをバッファメモリ２０に一時的に格納する。バッファメモリ２０に格納された画像データは必要に応じて抽出され、逐次再生信号処理部５２に伝達されて表示手段５６に表示されている。
【００２６】
音声記録系では、マイクロフォン２８、２８から出力された微弱な音声信号がマイクロフォンアンプ３０、３０で増幅され、所定のサンプリングレートで音声信号をサンプリングしてＡ／Ｄ変換器３４、３４にてデジタルデータに変換される。該デジタルデータの容量は、データ圧縮部３６、３６で圧縮された後マルチプレクス３８にて音声データの右チャンネルと左チャンネルとが合成されてバスライン２４に伝送される。
【００２７】
入力手段２６に設けられているシャッターボタンを押すと、被写体を撮影するモードに入る。すると制御部２２は一時バッファメモリ２０の中に格納されている画像データとマルチプレクス３８から得られる音声データとを順次記録媒体に記録する処理を行う。
【００２８】
図２は、本発明に係る電子カメラ及びその記録再生方法を用いてオーディオ再生中に画像を撮影する方法を示すフローチャートである。電子カメラ８に撮影のモードが指定されると同図に示すサブルーチンにプログラムがジャンプしてくる。
【００２９】
同図のステップＳ１００「オーディオ再生」（以降、ステップＳ１００をＳ１００のように略す）で、オーディオ再生装置７０に設けられている「再生ボタン」を押すと、プログラムはＳ１０２「オーディオ管理情報」、Ｓ１０４「トラック情報」、Ｓ１０６「演奏時間情報」に進み、日付や再生中のタイトル等のオーディオ管理情報や、再生しているオーディオ情報が記録されているトラック情報や、演奏時間情報をメディアから読み出す処理を実行する。
【００３０】
そして次のＳ１０８「オーディオ再生終了？」へ進み、オーディオ再生終了が指定されたか否かの判断を行っている。Ｓ１０８でオーディオ再生終了が指定されていない場合にはＳ１０２に戻り、オーディオ再生終了が指定された場合にはＳ１１０「ＥＮＤ」へ進み、オーディオ再生のルーチンを終了して元のルーチンに戻る。
【００３１】
Ｓ１１２「シャッター半押し」で入力手段２６に設けられているシャッターボタンが半押しされると、Ｓ１１４「撮影」へ進みシャッターボタンの全押しとなるのを待つ。また、電子カメラ８の制御部２２は通信信号処理部４６に対してオーディオ再生装置７０と通信を開始して、オーディオ再生装置７０がオーディオ記録媒体から読み取った日付や再生中のタイトル等のオーディオ管理情報や、再生しているオーディオ情報が記録されているトラック情報や、演奏時間情報を受信する処理を実行し、受信したデータは制御部２２の内部に設けられている記憶手段（ＲＡＭ）に一時的に記憶される。
【００３２】
Ｓ１１４「撮影」でシャッターが全押しされると次のＳ１１６「画像データ記録開始」に進み、撮影した画像データを記録媒体４２に記録する処理に入る。
【００３３】
Ｓ１１８「Audio Tag 1 記録」では、撮影した画像データとともに、オーディオ再生装置７０から受信した前記オーディオ管理情報を「Audio Tag 1 」として記録媒体４２に記録する。
【００３４】
Ｓ１２０「Audio Tag 2 記録」では、撮影した画像データとともに、オーディオ再生装置７０から受信した前記トラック番号情報を「Audio Tag 2 」として記録媒体４２に記録する。
【００３５】
Ｓ１２２「Audio Tag 3 記録」では、撮影した画像データとともに、オーディオ再生装置７０から受信した前記オーディオ演奏時間情報を「Audio Tag 3 」として記録媒体４２に記録する。
【００３６】
Ｓ１２４「Audio Tag 4=none」では、撮影した画像データとともに再生トラック順情報を記録するが、今回のようにオーディオ再生中に画像を撮影した場合にはこの再生トラック情報には何も記録しない。
【００３７】
次のＳ１２６「画像データ記録」では、撮影した画像データを記録媒体４２に記録する。そして、撮影モードが解除された場合には、次のＳ１２８「ＥＮＤ」に進み、本撮影のルーチンを終了する。また、撮影モードが解除されずにシャッターが半押しされた場合には、Ｓ１１２に戻り、再び撮影の準備に入る。
【００３８】
図３は、本発明に係る電子カメラ及びその記録再生方法を用いてオーディオ再生とのリンクを考慮して撮影する場合の方法を示すフローチャートである。電子カメラ８に、リンク撮影のモードが指定されると同図に示すルーチンにプログラムがジャンプしてくる。
【００３９】
同図のＳ１３０「メモリーＯＮ」にてオーディオ再生装置７０の「メモリー」スイッチを押して、オーディオ再生する曲と、曲順を設定するモードにする。
【００４０】
Ｓ１３２「曲・曲順選択」では、オーディオ再生装置７０の操作ボタンを操作して再生する曲と曲順とをプログラミングする。
【００４１】
次にＳ１３４「オーディオ再生スイッチＯＮ」とＳ１３６「撮影開始スイッチＯＮ」に進み、オーディオ再生装置７０に設けられている再生スイッチと、電子カメラ８に設けられている撮影開始スイッチとを同時に押す。
【００４２】
オーディオ再生装置７０の実行プログラムは、Ｓ１３８「オーディオ管理情報」、Ｓ１４０「再生トラック順情報」に進み、日付や再生中のタイトル等のオーディオ管理情報や、再生するオーディオトラック順情報を読み出す処理を実行する。
【００４３】
そして次のＳ１４２「オーディオ再生開始」へ進み、電子カメラ８からの撮影開始情報を待つ。電子カメラ８から撮影開始情報を得た場合には、以下のＳ１４６「トラック情報」、Ｓ１４８「演奏時間情報」に進み、再生しているオーディオ情報が記録されているトラック情報や、演奏時間情報を読み出す処理を実行する。
【００４４】
そして次のＳ１５０「全曲終了」へ進み、オーディオ再生が全曲終了した場合にはＳ１７０「ＥＮＤ」へ進み、オーディオ再生のルーチンを終了して元のルーチンに戻る。
【００４５】
一方電子カメラ８の実行プログラムは、Ｓ１３６で撮影開始が指示されるとＳ１５２「I=0 」に進む。Ｓ１５２では撮影枚数を示す変数に０を代入して次のＳ１５４「撮影」に進む。
【００４６】
Ｓ１５４ではＳ１５６「I=0?」の判断を行っており、１枚目の撮影を開始する前の状態である場合には「I=0 」であるので、電子カメラ８は通信手段を介してオーディオ再生装置７０のＳ１４２に対してオーディオ再生を指示する。また、Ｓ１５６で「I=0 」でない場合には、Ｓ１４６に対して再生中のトラック情報を読み出す処理を指示する。
【００４７】
Ｓ１５７「I=I+1 」では１枚目の撮影を実行することを受けて、撮影枚数を示す変数に１を加える演算を行う。そして次のＳ１５８「画像データ記録開始」に進み、撮影した画像データを記録媒体４２に記録する処理に入る。
【００４８】
Ｓ１６０「Audio Tag 1 記録」では、撮影した画像データとともに、オーディオ再生装置７０から受信した前記オーディオ管理情報を「Audio Tag 1 」として記録媒体４２に記録する。
【００４９】
Ｓ１６２「Audio Tag 2 記録」では、撮影した画像データとともに、オーディオ再生装置７０から受信した前記トラック番号情報を「Audio Tag 2 」として記録媒体４２に記録する。
【００５０】
Ｓ１６４「Audio Tag 3 記録」では、撮影した画像データとともに、オーディオ再生装置７０から受信した前記オーディオ演奏時間情報を「Audio Tag 3 」として記録媒体４２に記録する。
【００５１】
Ｓ１６６「Audio Tag 4 記録」では、撮影した画像データとともに、オーディオ再生装置７０から受信した前記再生トラック順情報を「Audio Tag 4 」として記録媒体４２に記録する。
【００５２】
次のＳ１６８「画像データ記録」では、撮影した画像データを記録媒体４２に記録する。そして、撮影モードが解除された場合には、次のＳ１７０「ＥＮＤ」に進み、本撮影のルーチンを終了する。また、撮影モードが解除されずにシャッターが半押しされた場合には、Ｓ１５４に戻り、再び撮影の準備に入る。
【００５３】
図４は、本発明に係る電子カメラ及びその記録再生方法を用いてオーディオ再生中に画像を撮影し、記録した画像を自動再生するとともにオーディオ自動再生する方法を示すタイミングチャートで、図５はそのフローチャートである。電子カメラ８に画像再生のモードが指定されると図５に示すルーチンにプログラムがジャンプしてくる。
【００５４】
図４によれば、「Image1」の画像ファイルには、Image1の画像データとともにAudio Tag 1 には「ABC 」というタイトル名と、Audio Tag 2 には「1 」というオーディオ再生時のトラック番号と、Audio Tag 3 には「1:03」というオーディオ演奏時間とが記録されており、Audio Tag 4 には本来再生の曲順情報が記録されるが、オーディオ再生中に画像を撮影した場合にはこの再生トラック情報には何も記録されていない。以降の「Image2」、「Image3」の画像ファイルにも同様にデータが記録されている。
【００５５】
そして「トラック１」の音楽再生が開始されてから予め定められたバックグラウンドオーディオ再生時間ivt1後に「Image1」の画像が表示される。画像表示時間itt の間、画像が表示されているとともに、バックグラウンドでオーディオ再生がなされている。画像表示が終了すると、予め定められたバックグラウンドオーディオ再生時間ivt2後に「トラック１」のオーディオ再生が終了して、「トラック２」のオーディオ再生に移る。以降同様にして撮影画像の再生とオーディオ再生が自動でなされる。
【００５６】
図５によれば、Ｓ１８０「画像選択  選択数=T」にて、プレビュー画面を参照しながら再生する画像を選択して、次のＳ１８２「N=0 」に進む。Ｓ１８２では再生枚数を示す変数に０を代入する。
【００５７】
Ｓ１８６「オーディオ再生スイッチＯＮ」で、オーディオ再生装置７０に設けられている再生スイッチを押すと、オーディオ再生装置７０と電子カメラ８との間に設けられている通信手段を介して電子カメラ８の実行プログラムをＳ１８４「選択画像データ再生」に進める。
【００５８】
Ｓ１８４では電子カメラ８に設けられた画像再生ボタンの入力待ちを行っており、画像再生ボタンが押されると画像の再生表示を開始して、実行プログラムはＳ１８８「N=N+1 」に進み、再生枚数を示す変数に１を加える。
【００５９】
Ｓ１９０「Audio Tag 1 有り？」では、「Audio Tag 1 」に記載があるか否かの判断を行っている。Ｓ１９０で「Audio Tag 1 」に記載がある場合にはＳ１９２「オーディオ再生装置にメディア有？」に分岐して、電子カメラ８はオーディオ再生装置７０に通信手段を介してメディアが存在するか否かの問い合わせを行う。オーディオ再生装置にメディアが存在する場合にはＳ１９４「Audio Tag 1 とオーディオ管理情報の一致」に分岐して、電子カメラ８はオーディオ再生装置７０に通信手段を介してAudio Tag 1 とオーディオ管理情報が一致しているか否かの問い合わせを行う。Audio Tag 1 とオーディオ管理情報が一致している場合にはＳ１９６「Audio Tag 2 チェック」に進む。
【００６０】
また、Ｓ１９０で「Audio Tag 1 」に記載がない場合又は、Ｓ１９２でメディアが存在しない場合又は、Ｓ１９４Audio Tag 1 とオーディオ管理情報が一致していない場合にはＳ２１２「LCD 表示時間L-O 」に進み、指定された画像データのみの表示を行う処理を実行する。
【００６１】
Ｓ１９６では、「Audio Tag 2 」に記載されているトラック番号を読み取り、次のＳ１９８「トラック番号呼び出し」で「Audio Tag 2 」に記載されているトラック番号を読み出す指令を、通信手段を介してオーディオ再生装置７０に伝送する。するとオーディオ再生装置７０の実行プログラムはＳ２００「Audio Tag  3 ivt1 よりオーディオ再生開始」に進み、オーディオ再生を開始する。そして、Ｓ２０２「オーディオ再生時間=Audio Tag 3? 」でオーディオ再生開始からivt1後の時刻、即ち、「Audio Tag 3 」と一致した時に「Image1」の画像を表示するための指令を通信手段を介して電子カメラ８に伝送する。
【００６２】
電子カメラ８では、オーディオ再生装置７０がオーディオ再生を開始してからivt1後にＳ２１４にて「Image1」の画像を表示する。そして次のＳ２１６「L>itt?」で画像表示時間 Lがitt 以上になるまで待つ処理を行う。画像表示時間 Lがitt 以上になったら次のＳ２１８「LCD 非表示」に進み、LCD 表示を中断する。
【００６３】
次のＳ２０４「オーディオ再生時間＞Audio Tag 3+ivt1+ivt2 」の判断に進み、オーディオ再生時間が「Audio Tag 3+ivt1+ivt2 」に達するまで待つ。オーディオ再生時間が「Audio Tag 3+ivt1+ivt2 」に達したら、Ｓ２０６「オーディオ再生終了」に進み、オーディオ再生を終了する。
【００６４】
次のＳ２０８「N=T 」では、Ｓ１８０で選択した画像の選択数表示したか否かを判断している。選択した画像を選択数表示した場合には（N=T の場合）Ｓ２１０（END ）に進み、本サブルーチンを終了する。また、選択した画像の選択数表示していない場合には（N<T の場合）Ｓ１８４に戻り、次のオーディオ再生と画像表示を連続して行う処理を、繰り返して実行する。
【００６５】
図６は、本発明に係る電子カメラ及びその記録再生方法を用いてオーディオ再生中に画像を撮影し、記録した画像をマニュアル再生するとともにオーディオ自動再生する方法を示すタイミングチャートで、図７はそのフローチャートである。電子カメラ８に画像マニュアル再生のモードが指定されると図７に示すルーチンにプログラムがジャンプしてくる。
【００６６】
図６によれば、「Image1」の画像ファイルには、Image1の画像データとともにAudio Tag 1 には「ABC 」というタイトル名と、Audio Tag 2 には「1 」というオーディオ再生時のトラック番号と、Audio Tag 3 には「1:23」というオーディオ演奏時間とが記録されており、Audio Tag 4 には本来再生の曲順情報が記録されるが、オーディオ再生中に画像を撮影した場合にはこの再生トラック情報には何も記録されていない。以降の「Image2」の画像ファイルにも同様にデータが記録されている。
【００６７】
そして「トラック１」の音楽再生が開始されてから予め定められたバックグラウンドオーディオ再生時間ivt1後に「Image1」の画像が表示される。画像表示は継続して表示されているとともに、バックグラウンドでオーディオ再生がなされている。画像表示の終了は、使用者が電子カメラ８の入力手段２６に設けられている「NEXTボタン」を押すことによって「Image1」のオーディオ再生と画像表示が終了して、次の「トラック４」のオーディオ再生に移る。そして「Image2」の画像表示が行われる。以降同様にして撮影画像の再生とオーディオ再生が、「NEXTボタン」を押すことによって自動でなされる。なお、画像の表示を中止する場合には、使用者が電子カメラ８の入力手段２６に設けられている「画像再生終了ボタン」を押す。
【００６８】
図７によれば、Ｓ２２０「画像再生スイッチＯＮ」にて電子カメラ８の入力手段２６に設けられている画像再生スイッチを押して、Ｓ２２２「オーディオ再生スイッチＯＮ」でオーディオ再生装置７０に設けられているオーディオ再生スイッチを押すと、オーディオ再生開始情報は通信手段を通して電子カメラ８に伝達されて、電子カメラ８の実行プログラムはＳ２２４「画像選択」に進む。
【００６９】
Ｓ２２４「画像選択」にて、プレビュー画面を参照しながら再生する画像を選択して、次のＳ２２６「選択画像データ再生」に進める。
【００７０】
Ｓ２２６では電子カメラ８に設けられた画像再生ボタンの入力待ちを行っており、画像再生ボタンが押されると画像の再生表示を開始して、実行プログラムはＳ２２８「Audio Tag 1 有り？」に進む。
【００７１】
Ｓ２２８「Audio Tag 1 有り？」では、「Audio Tag 1 」に記載があるか否かの判断を行っている。Ｓ２２８で「Audio Tag 1 」に記載がある場合にはＳ２３０「オーディオ再生装置にメディア有？」に分岐して、電子カメラ８はオーディオ再生装置７０に通信手段を介してメディアが存在するか否かの問い合わせを行う。オーディオ再生装置にメディアが存在する場合にはＳ２３２「Audio Tag 1 とオーディオ管理情報の一致」に分岐して、電子カメラ８はオーディオ再生装置７０に通信手段を介してAudio Tag 1 とオーディオ管理情報が一致しているか否かの問い合わせを行う。Audio Tag 1 とオーディオ管理情報が一致している場合にはＳ２３４「Audio Tag 2 チェック」に進む。
【００７２】
また、Ｓ２２８で「Audio Tag 1 」に記載がない場合又は、Ｓ２３０でメディアが存在しない場合又は、Ｓ２３２Audio Tag 1 とオーディオ管理情報が一致していない場合にはＳ２４６「LCD 表示」に進み、指定された画像データのみの表示を行う処理を実行する。
【００７３】
Ｓ２３４では、「Audio Tag 2 」に記載されているトラック番号を読み取り、次のＳ２３６「トラック番号呼び出し」で「Audio Tag 2 」に記載されているトラック番号を読み出す指令を、通信手段を介してオーディオ再生装置７０に伝送する。するとオーディオ再生装置７０の実行プログラムはＳ２３８「Audio Tag  3-ivt1 よりオーディオ再生開始」に進み、オーディオ再生を開始する。そして、Ｓ２４０「オーディオ再生時間=Audio Tag 3? 」でオーディオ再生開始からivt1後の時刻即ち、「Audio Tag 3 」と一致した時に「Image1」の画像を表示するための指令を通信手段を介して電子カメラ８に伝送する。
【００７４】
電子カメラ８では、ivt1>0である場合にはオーディオ再生装置７０がオーディオ再生を開始してからivt1後にＳ２４６にて「Image1」の画像を表示する。また、ivt1<0である場合にはＳ２４６にて「Image1」の画像を表示してからivt1後にオーディオ再生装置７０がオーディオ再生を開始する。そして次のＳ２４８「NEXTボタンON」で「NEXTボタン」が押されるのを待つ処理を行う。「NEXTボタン」が押されていない場合には、通信手段を介してオーディオ再生装置７０に対してオーディオ再生を継続する指令を出力する。オーディオ再生装置７０の実行プログラムではＳ２４２「オーディオ再生」の処理を継続する。
【００７５】
「NEXTボタン」が押されたら次のＳ２５０「LCD 非表示」に進み、LCD 表示を中断するとともに、通信手段を介してオーディオ再生装置７０に対してオーディオ再生を終了する指令を出力する。オーディオ再生装置７０の実行プログラムでは、Ｓ２４４「オーディオ再生終了」の処理を実行する。
【００７６】
Ｓ２５２「再生ボタンOFF 」では、再生ボタンがOFF 状態であるか否かの判断を行っている。もし、再生ボタンがOFF 状態でない場合（画像再生終了でない場合）にはＳ２２４に戻り再び画像選択を行う。また、再生ボタンがOFF 状態である場合（画像再生終了の場合）にはＳ２５４に進み、本サブルーチンを終了する。
【００７７】
図８は、本発明に係る電子カメラ及びその記録再生方法を用いてオーディオ再生とのリンクを考慮して撮影・記録した画像を自動再生するとともにオーディオ自動再生する方法を示すタイミングチャートで、図９及び図１０はそのフローチャートである。電子カメラ８に画像マニュアル再生のモードが指定されると図９に示すルーチンにプログラムがジャンプしてくる。
【００７８】
図８によれば、「Image1」の画像ファイルには、Image1の画像データとともにAudio Tag 1 には「ABC 」というタイトル名と、Audio Tag 2 には「5 」というオーディオ再生時のトラック番号と、Audio Tag 3 には「0:00」という画像表示開始時刻とが記録されており、Audio Tag 4 には再生の曲順情報が記録されている。以降の「Image2」の画像ファイルにも同様にデータが記録されている。
【００７９】
そして「トラック１」のバックグラウンドオーディオ再生時間と同時に「Image1」の画像が表示される。画像表示は継続して表示されているとともに、バックグラウンドでオーディオ再生がなされている。画像表示の終了は、「Image2」に記録されているAudio Tag 3 の時刻「3:30」である。この時刻を境に画像データが「Image1」から「Image2」に入れ代わる。以降同様に画像とオーディオ再生が自動で実行される。
【００８０】
図９によれば、Ｓ２６０「画像再生スイッチＯＮ」にて電子カメラ８の入力手段２６に設けられている画像再生スイッチを押して、同時にＳ２６２「オーディオ再生スイッチＯＮ」でオーディオ再生装置７０に設けられているオーディオ再生スイッチを押すと、オーディオ再生開始情報は通信手段を通して電子カメラ８に伝達されて、電子カメラ８の実行プログラムは次のＳ２６４「画像選択」に進む。
【００８１】
Ｓ２６４「画像選択」にて、プレビュー画面を参照しながら再生する画像を選択して、次のＳ２６６「Audio Tag 1 有り？」に進む。
【００８２】
Ｓ２６６「Audio Tag 1 有り？」では、「Audio Tag 1 」に記載があるか否かの判断を行っている。Ｓ２６６で「Audio Tag 1 」に記載がある場合にはＳ２６８「オーディオ再生装置にメディア有？」に進み、「Audio Tag 1 」に記載がない場合にはＳ２７４「END 」に分岐して、本サブルーチンを終了する。
【００８３】
Ｓ２６８では、電子カメラ８はオーディオ再生装置７０に通信手段を介してメディアが存在するか否かの問い合わせを行う。オーディオ再生装置にメディアが存在する場合にはＳ２７０「Audio Tag 1 とオーディオ管理情報の一致」に進み、オーディオ再生装置にメディアが存在しない場合にはＳ２７４「END 」に分岐して、本サブルーチンを終了する。
【００８４】
Ｓ２７０では、電子カメラ８はオーディオ再生装置７０に通信手段を介して「Audio Tag 1 」とオーディオ管理情報が一致しているか否かの問い合わせを行う。「Audio Tag 1 」とオーディオ管理情報が一致している場合にはＳ２７２「選択画像のAudio Tag 4 有? 」に進み、「Audio Tag 1 」とオーディオ管理情報が一致していない場合にはＳ２７４「END 」に分岐して、本サブルーチンを終了する。
【００８５】
Ｓ２７２では、「Audio Tag 4 」に情報が記載されているか否かの判断を行っている。「Audio Tag 4 」に情報が記載されている場合にはＳ２７６「画像検索（Tag1,Tag4 の一致）選択数=T」に進み、「Audio Tag 4 」に情報が記載されていない場合にはＳ２７４「END 」に分岐して、本サブルーチンを終了して、図７に示したＳ２４６以降の処理を実行する。
【００８６】
Ｓ２７６では、「Tag 1 」と「Tag 4 」の一致する画像を検索し、検索された全ての画像を再生画像とする。
【００８７】
次のＳ２７８「Tag 4 の曲順でTag 3 の時間昇順にソート」では、Tag 4 の曲順でTag 3 の時間昇順にソートし、次のＳ２８０「Audio TAG 4 より曲順セット」で曲順をセットする。
【００８８】
Ｓ２８０「N=1 」では、１番目の画像を処理していることを示す数値を変数「N 」に代入して、Ｓ２８２「N 番目画像のAudio Tag 2 チェック」に進む。
【００８９】
Ｓ２８２では、N 番目画像のトラック番号をチェックする指令をオーディオ再生装置７０に出力して、Ｓ２８４「N 番目画像のAudio Tag 3 チェック」に進む。
【００９０】
Ｓ２８４では、N 番目画像のオーディオ再生時間をチェックする指令をオーディオ再生装置７０に出力する。
【００９１】
なお、オーディオ再生装置７０の制御実行プログラムは、Ｓ２９４「トラック番号の曲呼び出し」にて再生するトラック番号を呼び出す。
【００９２】
次のＳ２９６「オーディオ再生」では指定されたトラック番号を再生する。そしてＳ２９８「N 番目画像のAudio Tag 2=トラック番号? 」にてN 番目画像のトラック番号であるか否かの判断を行い、N 番目画像のトラック番号である場合には次のＳ３００に進み、N 番目画像のトラック番号でない場合にはＳ２９６に戻る。
【００９３】
Ｓ３００「オーディオ再生時間=N番目のAudio Tag 3?」の判断で、オーディオ再生時間が N番目のAudio Tag 3 に記録されている再生時間と等しくない場合にはＳ２９６に戻り、等しくなった場合にはＳ２８６「LCD 非表示」とＳ３０２「曲の終了」に進む。
【００９４】
Ｓ２８６では、Ｓ３００でオーディオ再生時間がAudio Tag 3 に記録されている再生時間と等しくなったことを受けて、表示手段５６に表示されている画像表示を中止する。そして次のＳ２８８「N 番目の画像データ再生」にて次に表示すべく画像を表示する準備を行い、Ｓ２９０「LCD 表示」で画像表示を行う。そしてＳ２９２「N=N+1 」に進み、N 番目の画像を処理していることを示変数「N 」に１を加えて、Ｓ２８２に戻る。
【００９５】
なお、Ｓ３０２で現在再生している曲が終了した場合には、次の曲を再生するべくＳ２９４に戻る。もし、全曲の再生が終了した場合にはＳ３０４「全曲の終了」に進み、Ｓ３０６「END 」にて、本サブルーチンを終了する。
【００９６】
このようにして、選択された画像のAudio Tag 2 、 Audio Tag 3がオーディオ再生時間、トラック番号と一致する毎にLCD 表示する。
【００９７】
【発明の効果】
以上説明したように本発明に係る電子カメラによれば、撮影時に、少なくともオーディオ再生中の音声が格納されている場所を示すオーディオ再生情報を撮影した画像データとともに前記記録媒体に記録するようにしたので、再生時において、撮影された画像に対応した音声を自動でオーディオ再生することが可能となり、容易に画像と音声とを同時に観賞することができる。
【００９８】
また、他の発明の形態によれば、記録媒体に記録されているオーディオ再生情報に基づいて、画像に対応した音声を自動でオーディオ再生することが可能となり、容易に画像と音声とを同時に観賞することができる。
【図面の簡単な説明】
【図１】本発明に係る電子カメラの実施の形態を示すブロック図
【図２】本発明に係る電子カメラ及びその記録再生方法を用いてオーディオ再生中に画像を撮影する方法を示すフローチャート
【図３】本発明に係る電子カメラ及びその記録再生方法を用いてオーディオ再生とのリンクを考慮して撮影する場合の方法を示すフローチャート
【図４】本発明に係る電子カメラ及びその記録再生方法を用いてオーディオ再生中に画像を撮影し、記録した画像を自動再生するとともにオーディオ自動再生する方法を示すタイミングチャート
【図５】本発明に係る電子カメラ及びその記録再生方法を用いてオーディオ再生中に画像を撮影し、記録した画像を自動再生するとともにオーディオ自動再生を実行する方法を示すフローチャート
【図６】本発明に係る電子カメラ及びその記録再生方法を用いてオーディオ再生中に画像を撮影し、記録した画像をマニュアル再生するとともにオーディオ自動再生する方法を示すタイミングチャート
【図７】本発明に係る電子カメラ及びその記録再生方法を用いてオーディオ再生中に画像を撮影し、記録した画像をマニュアル再生するとともにオーディオ自動再生する方法を示すフローチャート
【図８】本発明に係る電子カメラ及びその記録再生方法を用いてオーディオ再生とのリンクを考慮して撮影・記録した画像を自動再生するとともにオーディオ自動再生する方法を示すタイミングチャート
【図９】本発明に係る電子カメラ及びその記録再生方法を用いてオーディオ再生とのリンクを考慮して撮影・記録した画像を自動再生するとともにオーディオ自動再生する方法を示すフローチャート
【図１０】本発明に係る電子カメラ及びその記録再生方法を用いてオーディオ再生とのリンクを考慮して撮影・記録した画像を自動再生するとともにオーディオ自動再生する方法を示すフローチャート
【符号の説明】
８…電子カメラ、１０…レンズ、１４…ＣＣＤ（固体撮像素子）、１６…撮像信号処理部、１８…撮像タイミング制御部、２２…制御部、４２…記録媒体、４４…記録再生処理部、４６…通信信号処理部、５２…再生信号処理部、７０…オーディオ再生装置、７２…通信ライン
【図１】
0003931268.tif 000002
【図２】
0003931268.tif 000003
【図３】
0003931268.tif 000004
【図４】
0003931268.tif 000005
【図５】
0003931268.tif 000006
【図６】
0003931268.tif 000007
【図７】
0003931268.tif 000008
【図８】
0003931268.tif 000009
【図９】
0003931268.tif 000010
【図１０】
0003931268.tif 000011